(57)【特許請求の範囲】
【請求項１】
物品を搬送する上流側に設けられた上流側コンベヤと、上記上流側コンベヤの搬送面より低い位置に設けられた下流側コンベヤと、上流側コンベヤと下流側コンベヤとの間に設けられて上記物品を上流側コンベヤから下流側コンベヤに移動させる傾斜ガイドとを備えた搬送装置において、
上記傾斜ガイドの両側に上記下流側コンベヤに向けて狭くなるように側壁を設けるとともに、当該側壁の内側に沿って上記傾斜ガイドの表面に対して傾斜する傾斜面を設け、
上流側コンベヤから傾斜ガイド上に移動した物品を、上記傾斜面によって傾斜ガイドの表面から剥がして下流側コンベヤへと移動させることを特徴とする搬送装置。
【発明の詳細な説明】
【技術分野】
【０００１】
本発明は搬送装置に関し、詳しくは物品を上流側コンベヤから下流側コンベヤに移動させる傾斜ガイドを備えた搬送装置に関する。
【背景技術】
【０００２】
従来、物品の搬送に用いられる搬送装置として、物品を搬送する上流側に設けられた上流側コンベヤと、上記上流側コンベヤの搬送面より低い位置に設けられた下流側コンベヤと、上流側コンベヤと下流側コンベヤとの間に設けられて上記物品を上流側コンベヤから下流側コンベヤに移動させる傾斜ガイドとを備えた搬送装置が知られている（特許文献１）。
【先行技術文献】
【特許文献】
【０００３】
【特許文献１】登録第２５５６８０４号公報
【発明の概要】
【発明が解決しようとする課題】
【０００４】
上記特許文献１では物品として蒸米を搬送しているが、これと同様ハンバーグなどの柔らかな物品の場合、上記傾斜ガイドを通過する際に当該物品が傾斜ガイドに付着してしまうという問題がある。
特に、上記傾斜ガイドによって上流側コンベヤから下流側コンベヤに物品を移動させる際に、当該物品が新たに傾斜ガイドに供給された物品によって後方から押されると変形してしまうおそれがある。
このような問題に鑑み、柔らかくて付着しやすい物品であっても、これを下流側コンベヤに変形させずに移動させることが可能な搬送装置を提供するものである。
【課題を解決するための手段】
【０００５】
すなわち本発明にかかる搬送装置は、物品を搬送する上流側に設けられた上流側コンベヤと、上記上流側コンベヤの搬送面より低い位置に設けられた下流側コンベヤと、上流側コンベヤと下流側コンベヤとの間に設けられて上記物品を上流側コンベヤから下流側コンベヤに移動させる傾斜ガイドとを備えた搬送装置において、
上記傾斜ガイドの両側に上記下流側コンベヤに向けて狭くなるように側壁を設けるとともに、当該側壁の内側に沿って上記傾斜ガイドの表面に対して傾斜する傾斜面を設け、
上流側コンベヤから傾斜ガイド上に移動した物品を、上記傾斜面によって傾斜ガイドの表面から剥がして下流側コンベヤへと移動させることを特徴としている。
【発明の効果】
【０００６】
上記発明によれば、下流側コンベヤの搬送面の幅が上流側コンベヤの搬送面の幅よりも狭く、上流側コンベヤからの物品を上記側壁によってガイドする場合に、当該物品が上方から上記側壁に衝突しても、これを上記傾斜面によって剥がすことができる。
その結果、側壁に衝突した物品が傾斜ガイドの表面に付着して停止しない為、その後、新たに傾斜ガイドに供給された物品が衝突して変形してしまうことを防止することができる。
【図面の簡単な説明】
【０００７】
【図１】本実施例にかかる過熱蒸気式焼成機の側面図
【図２】上流側コンベヤを説明する拡大図
【図３】上流側コンベヤを説明する断面図
【図４】チェーン支持部材を説明する平面図
【図５】スクレーパを説明する平面図
【図６】スクレーパを説明する断面図
【図７】傾斜ガイドを説明する平面図
【発明を実施するための形態】
【０００８】
以下図示実施例に基づいて本発明を説明すると、図１はハンバーグなどの柔らかい物品１を焼成する過熱蒸気式焼成機２を示し、内部に過熱蒸気を噴射する焼成ノズル３を備えた缶体４と、当該缶体４内で物品１を搬送する搬送装置５とを備えている。
上記缶体４は上記搬送装置５による物品１の搬送経路に沿って細長く形成され、また缶体４の内部は複数の隔壁によって複数の空間に区画されており、上流端および下流端に位置する入口室４ａおよび出口室４ｂの間には上記焼成ノズル３が設けられた複数の焼成室４ｃが形成されている。
上記焼成室４ｃ内に設けられた焼成ノズル３はそれぞれ過熱蒸気供給手段６に接続されており、これらの焼成ノズル３は上記搬送装置５によって搬送される物品１の上方および下方のそれぞれに設けられている。
また上記入口室４ａおよび出口室４ｂにはそれぞれ配管７が接続され、上記焼成ノズル３から噴射されて上記焼成室４ｃから入口室４ａや出口室４ｂに漏れた過熱蒸気を排気するようになっている。
なお、上記缶体４や焼成ノズル３の構成ならびにこれらを用いた物品１の焼成については、従来公知であるためこれ以上の詳細な説明は省略する。
【０００９】
上記搬送装置５は、焼成前の物品１を供給する供給コンベヤ１１と、上記缶体４の内部で物品１を搬送する上流側搬送手段としての上流側コンベヤ１２と、上流側コンベヤ１２に設けられて焼成された物品１を引きはがすスクレーパ１３と、上流側コンベヤ１２の下流側に設けられて図示しない後工程へと焼成された物品１を搬送する下流側搬送手段としての下流側コンベヤ１４と、上流側コンベヤ１２から下流側コンベヤ１４に物品１を受け渡す傾斜ガイド１５とを備えている。
上記上流側コンベヤ１２は、上記缶体４の外部に設けられるとともに図示しない駆動手段によって駆動する一対のスプロケット１２ａと、これらの下方に設けられた一対のガイドローラ１２ｂによって無端状に設けられている。
そして上流側コンベヤ１２の上面には上記物品１を搬送する搬送面Ｓが設定され、この搬送面Ｓの上下に上記焼成ノズル３が配置されることで、当該搬送面Ｓを搬送される物品１が上記焼成ノズル３によって上下から焼成されるようになっている。
【００１０】
図２は上記上流側コンベヤ１２の拡大図を示し、図３は上流側コンベヤ１２の拡大断面図を示している。
上記上流側コンベヤ１２は、物品１の搬送方向に対して交差する方向に設けられた複数の短冊状の搬送板２１と、当該搬送板２１に連結されて当該搬送板２１を移動させる平行に設けられた無端状のチェーン２２と、上記チェーン２２を下方から支持するとともに、チェーン２２に沿って搬送方向に設けられたチェーン支持部材２３とを備えている。
上記搬送板２１は搬送方向の幅が上記物品１の直径と同程度に形成された金属製の部材となっており、上記焼成ノズル３による過熱蒸気によって加熱されると、搬送板２１上の物品１の裏面側を加熱するようになっている。
また搬送板２１における搬送方向下流側の端部には、搬送面Ｓ側に面取り形状２１ａが形成されており、後述するように上記スクレーパ１３の干渉を防止するようになっている。
上記チェーン２２は上記搬送板２１の両端にそれぞれ固定され、また各チェーン２２は、対向して設けられた複数組のプレート２２ａと、これらのプレート２２ａを揺動可能に連結するピン２２ｂとから構成されている。
上記チェーン支持部材２３は、図３に示すように上記チェーン２２を構成するプレート２２ａとプレート２２ａとの間に位置して、上記ピン２２ｂがその上面を摺動するようになっている。
このように、上記支持板２１が上記チェーン２２を介して上記チェーン支持部材２３上に支持されることで、支持板２１上の物品１を一定の高さの搬送面Ｓによって搬送することが可能となっている。
【００１１】
ここで、上記上流側コンベヤ１２は上記缶体４の内部で物品１を搬送するため、上流側コンベヤ１２も物品１と共に上記焼成ノズル３の過熱蒸気によって加熱されることとなる。
そして上記搬送板２１は物品１の搬送方向に対して直交する方向に細長い形状を有していることから、上記過熱蒸気によって加熱されると熱膨張し、搬送方向に対して直交する方向に大きく変形する。これと同様、上記チェーン支持部材２３は搬送方向に細長い形状を有していることから、過熱蒸気によって搬送方向に大きく変形する。
このような熱膨張による変形が発生する場合、これらの変形に伴う寸法の変化が吸収できないと、搬送板２１の上面やチェーン支持部材２３の上面が歪んでしまい、上流側コンベヤ１２の搬送面Ｓが一定とならない。
その結果、物品１が搬送面Ｓに密着せずに焼きムラが生じたり、上記スクレーパ１３によって物品１を良好に搬送板２１から引きはがすことができなくなるという問題が発生する。
そこで本実施例では、上記搬送板２１の熱膨張による変形を吸収する搬送板伸縮吸収手段３１と、チェーン支持部材２３の熱膨張による変形を吸収する支持部材伸縮吸収手段３２とを設けたものとなっている。
【００１２】
上記搬送板伸縮吸収手段３１は、図３に示すように搬送板２１の図示右方に設けられており、ベース部材３３に固定されるとともに搬送方向に対して直交する方向に設けたスライドピン３４と、上記チェーン支持部材２３を貫通して上記スライドピン３４が摺動可能に挿入された貫通孔３５とから構成されている。
これに対し、搬送板２１の図示左方におけるチェーン支持部材２３はベース部材３３によって移動しないように固定されている。
このような構成とすることで、上記搬送板２１が加熱により熱膨張すると、搬送板２１は上記固定されたチェーン支持部材２３とは反対側、すなわち上記搬送板伸縮吸収手段３１の設けられた側に変形しようとする。
すると、上記搬送板２１の変形に伴って上記チェーン２２とともに上記チェーン支持部材２３が上記スライドピン３４に沿って搬送方向に直交する方向に移動し、その結果、搬送板２１の熱膨張による変形が上記チェーン支持部材２３の移動によって吸収される。
このようにして搬送板２１の熱膨張による変形を吸収することにより、当該搬送板２１の上面が平坦を保ち、搬送面Ｓが一定を保たれて物品１の密着性が維持されるようになっている。
【００１３】
次に支持部材伸縮吸収手段３２について説明すると、図４はチェーン支持部材２３の平面図を示し、当該構成を有するチェーン支持部材２３は上記並行に設けられたチェーン２２のそれぞれに設けられている。
本実施例において、上記チェーン支持部材２３は搬送方向に沿って設けられた複数の部材によって構成され、上記支持部材伸縮吸収手段３２は隣接するチェーン支持部材２３とチェーン支持部材２３との間に設けられている。
支持部材伸縮吸収手段３２は、各チェーン支持部材２３の先端および後端部に形成された先端側突起２３ａおよび後端側突起２３ｂと、後端側突起２３ｂに設けられた２本のピン３６と、先端側突起２３ａに設けられて上記ピン３６の貫通する長孔２４ｃとから構成されている。
上記後端側突起２３ｂおよび先端側突起２３ａは、それぞれチェーン支持部材２３の略半分の板厚を有し、チェーン支持部材２３が搬送方向に整列した際に、これらが相互に干渉せずに当接するようになっている。
そして、後端側突起２３ｂの先端部と下流側に位置するチェーン支持部材２３との間には隙間ｇが形成され、これと同様、先端側突起２３ａの先端部と上流側に位置するチェーン支持部材２３との間にも隙間ｇが形成されている。
上記ピン３６は上記後端側突起２３ｂの側面における、下流側のチェーン支持部材２３の先端側突起２３ａに向けて設けられており、当該先端側突起２４に穿設された上記長孔２４ｃを貫通するように設けられている。
また上記長孔２４ｃは上流側および下流側に細長く形成され、上記ピン３６が当該長孔２４ｃに沿って搬送方向上流側および下流側にそれぞれ移動可能となっている。
【００１４】
このような構成により、上記焼成ノズル３の過熱蒸気によって上記上流側コンベヤ１２が加熱されると、各チェーン支持部材２３が熱膨張により変形し、上記先端側突起２３ａおよび後端側突起２３ｂがそれぞれ搬送方向上流側および下流側に移動する。
しかしながら、上記先端側突起２３ａとこれに離接する上流側のチェーン支持部材２３との間には隙間ｇが形成されているため、先端側突起２３ａの移動が上記隙間ｇによって吸収される。
これと同様、後端側突起２３ｂとこれに離接する下流側のチェーン支持部材２３との間にも隙間ｇが形成されているため、チェーン支持部材２３の熱膨張による変形を上記隙間ｇによって吸収することができる。
これにより、上記チェーン支持部材２３の上面は平坦を維持することができ、当該チェーン支持部材２３の上面を走行するチェーン２２に固定された搬送板２１の搬送面Ｓを一定に保つことができる。
その際、上記後端側突起２３ｂに設けたピン３６が先端側突起２３ａに設けた長孔２４ｃ内を相対的に移動し、隣接するチェーン支持部材２３同士の連結状態が維持されるようになっている。
また熱膨張したチェーン支持部材２３が冷却により熱収縮しても、上記ピン３６が長孔２４ｃ内を移動するため、先端側突起２３ａおよび後端側突起２３ｂの移動が許容される。
【００１５】
上記スクレーパ１３は上記上流側コンベヤ１２における上記缶体４の出口室４ｂよりも下流側であって、かつ上記傾斜ガイド１５の上流側に隣接した位置に設けられている。
図５に示すように、上記スクレーパ１３は細長い短冊状の部材によって構成され、上記上流側コンベヤ１２の搬送面Ｓを斜めに交差するように設けられている。これにより、当該スクレーパ１３における搬送方向上流側の縁部が搬送方向に対して斜めに交差するようになっている。
また図６に示すように、スクレーパ１３における搬送方向上流側の縁部には傾斜面１３ａが形成され、物品１と搬送板２１との間にスクレーパ１３を良好に挿入させるようになっている。
さらに、上記スクレーパ１３は上流側コンベヤ１２の両側に設けられたフレーム４１に付勢手段としての略Ｌ字形を有したばね部材４２を介して固定されており、このばね部材４２によって上記スクレーパ１３の搬送方向上流側の縁部が搬送板２１の上面に押し付けられるようになっている。
【００１６】
このような構成により、上記上流側コンベヤ１２を搬送された物品１が上記スクレーパ１３の設けられた位置まで搬送されると、図５に示すように当該スクレーパ１３における搬送方向上流側の縁部が斜めに交差していることから、搬送方向上流側より搬送された物品１は上記縁部における上流側に位置する部分より順次接触してゆく。
これにより、上記物品１には上記スクレーパ１３との接触による衝撃が一点に集中せず、物品１を変形させることなくスクレーパ１３を物品１と搬送板２１との間に入り込ませることができる。
しかも、上記スクレーパ１３に形成された傾斜面１３ａと、スクレーパ１３を搬送板２１の上面に押し付ける上記ばね部材４２とによって、スクレーパ１３をより良好に物品１と搬送板２１との間に入り込ませることが可能となっている。
また上述したように、上記搬送板２１には搬送方向下流側の縁部に面取り形状２１ａが形成されているため、上記搬送板２１が移動してスクレーパ１３に差し掛かると、当該面取り形状２１ａによってスクレーパ１３が搬送板２１の上面に誘導されるようになっている。
そして、スクレーパ１３によって引きはがされた物品１は、再度搬送板２１の上面に位置し、その後上記搬送板２１の移動に伴って上流側コンベヤ１２の下流端に設けられた傾斜ガイド１５に移動する。
なお上記面取り形状２１ａについては、当該スクレーパ１３が最初に差し掛かる位置、図５においては搬送板２１の図示左方端近傍にのみ形成してもよく、この面取り形状２１ａによってスクレーパ１３の一部が搬送板２１の上面に誘導されれば、その他の部分も搬送板２１の上面に誘導することができる。
【００１７】
上記傾斜ガイド１５について説明すると、本実施例において、上記下流側コンベヤ１４の搬送面は上記上流側コンベヤ１２の搬送面Ｓよりも低く設定されており、また図７に示すように下流側コンベヤ１４の搬送面の幅は上流側コンベヤ１２の搬送面Ｓの幅よりも狭く設定されている。
そして上記傾斜ガイド１５は、上記上流側コンベヤ１２から下流側コンベヤ１４にかけて傾斜して設けられ、当該傾斜ガイド１５の両側には物品１を誘導する側壁５１と、当該側壁５１の内側に沿って設けられて傾斜面５２ａの形成された誘導部材５２とを備えている。
上記側壁５１は、上流側コンベヤ１２の搬送面Ｓの幅および下流側コンベヤ１４の搬送面の幅に合わせて下方に向けて狭くなるように設けられており、これにより上流側コンベヤ１２から供給されて傾斜ガイド１５を滑り降りた物品１が上方から側壁５１に接触し、下流側コンベヤ１４へと誘導されるようになっている。
ここで、上記上流側コンベヤ１２より供給されたハンバーグなどの柔らかい物品１の場合、上記側壁５１に衝突した際に当該物品１が傾斜ガイド１５の表面で固着し、その後新たに傾斜ガイド１５に供給された物品１によって後方から押されると、当該物品１が変形してしまうという問題が発生する。
そこで、上記側壁５１の内側に沿って上記誘導部材５２を設け、当該誘導部材５２に上記傾斜ガイド１５の表面に対して傾斜する傾斜面５２ａを設けることで、上流側コンベヤ１２より供給されて側壁５１に衝突する物品１を上記傾斜面５２ａによって引きはがし、物品１を速やかに下流側コンベヤ１４へと受け渡すことで、上述した物品１同士の衝突による変形を可及的に防止することができる。
なお、上記傾斜ガイド１５については、その上面で物品１を滑らす構成のものに限らず、ベルトコンベヤ等によって物品１を搬送する構成であってもよい。
その場合、上記側壁５１および誘導部材５２をベルトコンベヤの搬送面に対して移動しないように設け、上流側より搬送された物品１が上記側壁５１に衝突する際、上記傾斜面５２ａによって当該物品１を搬送面Ｓより引きはがすことができる。
【００１８】
なお、上記実施例におけるスクレーパ１３は、上流側コンベヤ１２の搬送方向に対して斜めに設けられた短冊状の部材となっているが、例えばスクレーパ１３における搬送方向上流側の縁部を、上流側コンベヤ１２の中央部で最も搬送方向上流側に突出したく字形もしくは湾曲した形状等とし、搬送方向に対して傾斜した縁部が部分的に物品１に接触するような形状とすることができる。
また本実施例において上記物品１としては一例として過熱蒸気によって焼成するハンバーグを挙げたが、搬送板２１に付着しやすい柔らかな材質の物品１を搬送する搬送装置５であれば、必ずしも過熱蒸気式焼成機で用いる必要はない。
【符号の説明】
【００１９】
１  物品                          ２  過熱蒸気式焼成機
３  焼成ノズル                    ４  缶体
５  搬送装置                      １２  上流側コンベヤ
１３  スクレーパ                  １５  傾斜ガイド
２１  搬送板                      ２１ａ  面取り形状
２３  チェーン支持部材            ３１  搬送板伸縮吸収手段
３２  支持部材伸縮吸収手段        ５１  側壁
５２ａ  傾斜面
【図１】
0006551739.tif 000002
【図２】
0006551739.tif 000003
【図３】
0006551739.tif 000004
【図４】
0006551739.tif 000005
【図５】
0006551739.tif 000006
【図６】
0006551739.tif 000007
【図７】
0006551739.tif 000008